(57)【特許請求の範囲】
【請求項１】
インクパッドと、該インクパッドが収容されたスタンプ台本体と、前記インクパッドの枠体に開閉自在に枢着された中蓋と、前記スタンプ台本体の前端部にてロック可能に形成されるとともに、該スタンプ台本体の後端部に開閉自在に枢着された外蓋とから成るスタンプ台において、
前記中蓋の後端部中心部に紐又は糸を固定し、該紐又は糸を前記インクパッドの裏面中心線を通ってスタンプ台本体の前端部に及んで張設して固定し、該張設された該紐又は糸の前端部をスタンプ台本体の前端部に前方へ傾動自在に設けられたレバーの前端部にて押下することにより、前記中蓋が該紐又は糸に引張られて開放できるように構成されたことを特徴とするスタンプ台。
【請求項２】
前記紐又は糸の前端部はスタンプ台本体の前端部下面から前方へ突設された受板の前面中心部に設けられたスリットを介して該受板下面にて固定されていることを特徴とする請求項１記載のスタンプ台。
【請求項３】
前記外蓋のロック部は該外蓋の前端部近傍裏面中心部に係合口を有するロック片が突設されており、該係合口に対応して、スタンプ台本体の前端部中央部に設けられているコ字状凹部内に、前面に向って傾動自在に設けられたレバーの軸支片内側面に嵌合片が突設され、外蓋を閉塞したとき、該嵌合片を前記係合口に嵌挿係合させて該外蓋をロック可能に構成されていることを特徴とする請求項１記載のスタンプ台。
【請求項４】
前記レバーは、該レバーとスタンプ台本体との間に弾性体が介装され、該弾性体にて傾動したレバーが水平状態に復帰できるように付勢されていることを特徴とする請求項１又は３記載のスタンプ台。
【請求項５】
前記レバーの傾動動作にて前記外蓋のロックを解除できると同時に、張設されている前記紐又は糸の前端部を押圧して、中蓋も開放できるように構成されたことを特徴とする請求項１又は３記載のスタンプ台。
【発明の詳細な説明】
【技術分野】
【０００１】
本発明はスタンプ台に関するものであり、特に、早期乾燥性のスタンプインクを使用するスタンプ台であって、該スタンプインクの使用時において、可及的に該スタンプインクの乾燥を抑制できるようにしたスタンプ台に関するものである。
【背景技術】
【０００２】
従来、此種スタンプ台は、インクパッドを備えたスタンプ台本体の一側に前記インクパッドを覆う蓋体がスタンプ台本体前端部にてロック可能に形成され、且つ、該蓋体後側面に設けられた軸部の左右両端の枢軸をスタンプ台本体の後側面左右２個所に設けられた軸受けに保持させることにより、該蓋体をスタンプ台本体に回転可能に枢着されて成るものである。（例えば特許文献１）
【特許文献１】特開２００１−８８４１６号公報
【発明の開示】
【発明が解決しようとする課題】
【０００３】
上記特許文献１記載の発明等の従来例は早期乾燥性のスタンプインクを用いてスタンプする際には、該スタンプインクの早期乾燥を抑制するためにスタンプ動作終了毎に、蓋体を可及的に閉塞してスタンプインクを外気から遮断しておく必要がある。然るに、該スタンプ台の蓋体を開閉するためには、従来例においては両手の動作による作業となるために片手でスタンプ（ハンコ）を把持してスタンプ動作を実行することになり、作業性が極めて悪い。特に、水産業者等にあっては、スタンプ台を手で把持して梱包箱（発泡スチロール製）に押印する際に、前記蓋体は前記枢軸を介して自然にロックされる構造となっているため、次にスタンプ作業を実行する際は、該ロックをその都度解除しなければならない。而して、該ロック解除はスタンプ動作の合間で速やかに実行されねばならないので、全体としてのスタンプ動作の作業性が悪く、且つ、余分の作業時間がかかり、効率が著しく劣性であるという欠陥がある。
【０００４】
そこで、上記欠陥に鑑み、スタンプ動作時において可及的にスタンプインクの乾燥を阻止してスタンプ動作の円滑性が期待できるスタンプ台を提供するために解決せられるべき技術的課題が生じてくるのであり、本発明は該課題を解決することを目的とする。
【課題を解決するための手段】
【０００５】
本発明は上記目的を達成するために提案せられたものであり、請求項１記載の発明は、インクパッドと、該インクパッドが収容されたスタンプ台本体と、前記インクパッドの枠体に開閉自在に枢着された中蓋と、前記スタンプ台本体の前端部にてロック可能に形成されるとともに、該スタンプ台本体の後端部に開閉自在に枢着された外蓋とから成るスタンプ台において、前記中蓋の後端部中心部に紐又は糸を固定し、該紐又は糸を前記インクパッドの裏面中心線を通ってスタンプ台本体の前端部に及んで張設して固定し、該張設された該紐又は糸の前端部をスタンプ台本体の前端部に前方へ傾動自在に設けられたレバーの前端部にて押下することにより、前記中蓋が該紐又は糸に引張られて開放できるように構成されたことを特徴とするタンプ台。  
【０００６】
この構成によれば、中蓋の枢着部とスタンプ台本体の前端部との間であって、インクパッドの裏面を通過して張設固定されている紐又は糸の前端部をレバーを前方へ傾動させることにより、押下し、これにより該紐又は糸の引張にて中蓋を持ち上げて該中蓋がインクパッドの被覆状態を脱する。又、該中蓋を閉じるときは、前記レバーの傾動操作を中止し、スタンプ台を片手で把持している状態では該スタンプ台を外蓋の前端部方向へ傾けるこ
とにより、該中蓋は自重にて前方へ倒れ、前記インクパッドを被覆する。又、該スタンプ台を卓上で使用している場合は起き上がっている中蓋を単に指頭にて前方へ倒せば、簡単に中蓋は倒れ、インクパッドを被覆する。
【０００７】
請求項２記載の発明は、前記紐又は糸の前端部はスタンプ台本体の前端部下面から前方へ突設された受板の中心部に設けられたスリットを介して該受板下面にて固定されているスタンプ台を提供する。
【０００８】
この構成によれば、一端を中蓋の後端部に固定された前記紐又は糸の前端部はスタンプ台本体の前端部下面から突設された受板の中央部外側面に設けたスリットを介して、該受板の下面にて固定されているので、該紐又は糸の張りが十分に維持でき、レバーの傾動動作にて前端部を下方へ押下された紐又は糸は中蓋の枢着部を引張り、該中蓋を直立させる。
【０００９】
請求項３記載の発明は、前記外蓋のロック部は該外蓋の前端部近傍裏面中心部に係合口を有するロック片が突設されており、該係合口に対応して、スタンプ台本体の前端部中央部に設けられているコ字状凹部内に、前面に向って傾動自在に設けられたレバーの軸支片内側面に嵌合片が突設され、外蓋を閉塞したとき、該嵌合片を前記係合口に嵌挿係合させて該外蓋をロック可能に構成されている請求項１記載のスタンプ台を提供する。
【００１０】
この構成によれば、外壁のロックを解除する際には、レバーを前方へ傾ける。然るときは、該レバーの軸支片内側面に突設している嵌合片が係合片の係合口から離脱して外蓋のロックが解除され、該外蓋が開放可能となる。
【００１１】
又、該外蓋をロックする場合は、前記レバーを前方へ傾けて外蓋を閉じる。そして、該レバーを水平状態に復帰させて該水平状態を維持することにより、該レバーの前記嵌合片が係合口に遊挿し、外蓋が閉塞状態でロックされる。
【００１２】
請求項４記載の発明は、前記レバーは、該レバーとスタンプ台本体との間に弾性体が介装され、該弾性体にて傾動したレバーが水平状態に復帰できるように付勢されている請求項１又は３記載のスタンプ台を提供する。
【００１３】
この構成によれば、上記レバーを前方へ向って傾動して外壁のロックを解除し、そして、該外蓋を開放したときは、該レバーの押圧動作を停止することにより、該レバーは弾性体の付勢により自然に水平状態に復帰し、 上記紐又は糸も水平状態に復帰して緊張する。
【００１４】
請求項５記載の発明は、前記レバーの傾動動作にて前記外蓋のロックを解除できると同時に、張設されている前記紐又は糸の前端部を押圧して、中蓋も開放できるように構成された請求項１又は３記載のスタンプ台を提供する。
【００１５】
この構成によれば、レバーの傾動動作により、外蓋のロック解除と同時に中蓋が起立して、インクパッドの使用を可能にする。
【発明の効果】
【００１６】
請求項１記載の発明は、外蓋及び中蓋から成るスタンプ台を用いてスタンプ作業を実行するとき、レバーをスタンプ台本体前方へ向って傾けることにより、緊張されている紐又は糸の前端部を押下し、該紐又は糸の引張り作用が中蓋枢着部分に印加されて該中蓋が開放する。斯くして、インクパッドは該中蓋による被覆状態を脱するので、作業者は片手に該スタンプを把持し、他方の手でスタンプ動作を実行できる。そして、例えば一回のスタ
ンプ動作が終了したときには、片手で把持しているスタンプ台をスタンプ台の前方へ向って傾け、そして、レバーの押下動作を停止することにより、該中蓋は自重によって倒回して該インクパッドを被覆し、インクパッドの外気との接触を遮断し、インクの乾燥を可及的に阻止してインク寿命を延ばすことができる。このとき、紐又は糸は復元している。続いて、スタンプ動作を実行する際は、前述したようにレバーを押して前方へ傾けることにより中蓋が起立するので、直ちにインクパッドが使用可能となり、スタンプ作業を実施できる。但し、該スタンプ台を卓上に置いて使用している場合は、起立している中蓋を単に指頭で倒すことにより、該中蓋は容易に倒れ、インクパッドを被覆する。
【００１７】
そこで、特に、連続してスタンプ動作が反覆されて実行される際も、各スタンプ動作が終了する毎にインクパッドが中蓋によって容易に被覆されてインクの乾燥を阻止し、そして、単にレバーを押下するのみで中蓋が起立してインクパッドの使用が可能となるので、スタンプ動作の作業性及び効率が著しく向上する。
【００１８】
請求項２記載の発明は、請求項１記載の発明において、中蓋の起立動作を効果的に実現させるために、特に、上記紐又は糸の前端部における固定位置をスタンプ台本体の前端部下面から前方へ突設された受板の前面中心部に設けたスリットを介して該受板下面まで延設して固定することにより紐又は糸を緊張させ、緊張された該紐又は糸の前端部をレバーによって押下することにより、レバーのストローク以上に紐又は糸のストロークを稼ぐことができ、依って、小ストロークのレバー操作によって中蓋の起立乃至開放ができ、小スペース構造により、スタンプ台を小型化することも可能となる。
【００１９】
請求項３記載の発明における外蓋のロックは、該外蓋の前端部近傍裏面中心部に立設されているロック片に設けた係合口が該外蓋を閉塞し、そして、スタンプ台本体前端部に設けたコ字状凹部内に前面に向って傾動自在に設けられているレバーを前方へ傾けたとき、該レバーに突設されている嵌合片と対峙して該嵌合片が前記係合口内に臨み、然る後、レバーの押圧動作を停止することにより、該レバーの水平位置復帰動作と相俟って該嵌合片は係合口に係合し、閉塞された外蓋はロックされることになる。
【００２０】
そこで、該ロックを解除する際は、前記レバーを再び前方へ傾けることにより嵌合片が係合口との係合を脱して外蓋のロックが解除される。斯くして、請求項１記載の発明の効果に加え、外蓋のロック及び解除動作が容易、且つ、円滑に実行されることが可能となる。
【００２１】
請求項４記載の発明は、請求項１又は３記載の発明において、レバーが、該レバーとスタンプ台本体との間にコイルスプリング等から成る弾性体によって水平状態を維持できるように付勢されているので、レバーの傾動動作が終了し、そして、該レバーの押圧動作を停止したときには該レバーは直ちに水平状態に復帰し、外蓋のロック及び又は外蓋が開放されているとき、間欠的に中蓋の起立動作を実行することが可能となり、請求項１又は３記載の発明の効果に加えスタンプ動作の迅速性をも期待することが可能となる。        
【００２２】
請求項５記載の発明は、レバーの傾動動作により外蓋のロック及び解除が可能となり、又、同時に中蓋の起立動作も実施でき、且つ、構造も極めて簡素であり、小型化が可能となる。
【００２３】
以上要するに、本発明は、ワンタッチで開閉できる中蓋を設けることにより、片手で該中蓋の開閉操作ができ、作業効率が向上し、従来、蓋体を開放した儘スタンプ台を使用してたものに比し、スタンプ動作時間以外の時間分、中蓋を閉じているので、その間におけるインクの乾燥を阻止でき、インクの長寿命も期待できる。実際には中蓋は密閉性はないが、インクパッド面を被覆することにより、該インクパッドは外気と遮断され、依って、
インクの乾燥が抑制されることになる。
【００２４】
更に又、本発明は前述したように複雑機構部を採択せず、部品点数も可及的に軽減でき、小スペース且つ、軽量に生産できるので、持ち歩きでのスタンプ作業に最適である等の諸種の効果を奏する。
【発明を実施するための最良の形態】
【００２５】
本発明はスタンプ台を用いてスタンプ作業を実行するとき、スタンプ動作以外の時間帯において、インクパッドが外気から遮断されて可及的にインクが乾燥しないようにするとともに、スタンプ作業が効率良く実行できるという目的を達成するために、インクパッドと、該インクパッドが収容されたスタンプ台本体と、前記インクパッドの枠体に開閉自在に枢着された中蓋と、前記スタンプ台本体の前端部にてロック可能に形成されるとともに、該スタンプ台本体の後端部に開閉自在に枢着された外蓋とから成るスタンプ台において、前記中蓋の後端部中心部に紐又は糸を固定し、該紐又は糸を前記インクパッドの裏面中心線を通ってスタンプ台本体の前端部に及んで張設して固定し、該張設された該紐又は糸の前端部をスタンプ台本体の前端部に前方へ傾動自在に設けられたレバーの前端部にて押下することにより、前記中蓋が該紐又は糸に引張られて開放できるように構成されたスタンプ台を提供することにより実現した。
【実施例１】
【００２６】
以下、本発明の好適な一実施例を図１乃至図９に従って詳述する。図１乃至図３に示すように、インク台１はスタンプ台本体２と、該スタンプ台本体２の右側端部（図４参照）に枢着されている外蓋３と、前記スタンプ台本体２に収容されたインクパッド４と、該インクパッド４を被覆するために該インクパッド４の右端部枠体４ａ（図６参照）に開閉自在に枢着されている中蓋５とから成る。
【００２７】
前記インクパッド４のインクは早期乾燥性であって、スタンプされたインクが直ちに乾燥するインクが選択される。
【００２８】
又、前記外蓋３は、図４において、その右端部が前記スタンプ台本体２に枢着されている。該枢着部６は図４において、該外蓋３の上下端部近傍に軸受７，７が突設されており、更に、該軸受７，７間に該軸受７と同一直線上であって、且つ、略同径の細長い筒体８が前記スタンプ台本体２の右端部から突設されており、そして、枢軸９の両端部が前記軸受７，７に軸支され（図７、図９参照）、その中間部が前記筒体８内に遊挿され、該外蓋３がスタンプ台本体２に該枢軸９を介して開閉自在に枢着されている。
【００２９】
又、該外蓋３は周縁部が立上った壁部を有し、特に、先端部壁部１０（図２において上端部、図６において右端部）内側に長方形状の凹部１１が設けられており、該凹部１１の前側面に沿って長方形状のロック片１２が立設されており、且つ、該ロック片１２には水平方向に係合口１３が設けられている（図３参照）。該係合口１３は後述の嵌合片１４（図６参照）が嵌合して外蓋３がロックできるように構成されている。
【００３０】
又、前記先端部壁部１０の左右上面（図６において上下）近傍に、スタンプ台本体２の前端部左右（図６において上下）に設けた嵌挿孔１５，１５に嵌合して閉塞した外蓋３の揺動を禁止するための突設片１６，１６が突設されている。
【００３１】
一方、スタンプ台本体２の先端部分１７（図６において左端部分）の中央部にコ字状凹部１８が設けられており、そして、該コ字状凹部１８の対峙する双方の壁部１８ａ，１８ｂの内側面にレバー１９の軸支片１９ａが回動自在に遊挿され、且つ、該軸支片１９ａの左右両外側（図６において上下）に突片２０，２０を突設し、該突片２０，２０を前記対
峙する双方の壁部１８ａ，１８ｂの夫々の内側面に設けた軸支部（図示せず）に遊挿して軸支部を形成し、該突片２０，２０を介してレバー１９が傾動自在に軸支されている。
【００３２】
又、該レバー１９はスタンプ台本体２との間に介装されたコイルスプリング２１の弾性により、傾倒されたレバー１９を水平状態に復帰できるように付勢されている。
【００３３】
又、該レバー１９の前記軸支片１９ａの後端面上部（図６において右方）には前記ロック片１２の係合口１３と係合して外蓋３をロックするための嵌合片１４が設けられており、レバー１９を傾け、外蓋３を閉塞したとき、該嵌合片１４が該係合口１３内に臨み、そして、レバー１９の押下動作を停止したとき、該レバー１９はコイルスプリング２１の付勢により水平状態に復帰し、該嵌合片１４が係合口１３に嵌合して外蓋３をロックするように構成されている。従って、該ロック状態を解除し、外蓋３を開放するには、単に、該レバー１９を押下する動作にて容易に該外蓋３が開蓋される（図２、図３、図６〜図９参照）。
【００３４】
更に又、中蓋５は、その枢着部６の中心部に紐又は糸２２（以下、単に「紐」という。）の一端が固定されており、そして、該紐２２はインクパッド４の前記右端部枠体４ａに設けた小孔２３から内側へ挿入され、更に、該インクパッド４の裏面を通過して前記レバー１９の中央部下面に延設され、その端部がスタンプ台本体２の前端部下面から前方へ突設されたＬ字状の受板２４の中央部外側面に設けられたスリット２５内に導入され、その先端部を該受板２４の下面にてボルト２６締めされて固定され、該紐２２が双方の端部の固定により緊張され、且つ、該緊張状態が維持されるように構成されている。
【００３５】
斯くして、該レバー１９を押下すれば、前記外蓋３のロックが解除されると同時にスタンプ動作を施行する際、各スタンプ動作終了後における時間帯においては、該レバー１９の押下と同時に、前記緊張されている紐２２の後端部分が中蓋５の前記枢着部６を回動させる。斯くして、中蓋５を起立させてインクパッド４を開放し、該インクパッド４の使用を可能にする。又、各インクによるスタンプ動作終了時には、前述したようにレバー１９から手を離し、そして、該スタンプ台１を前方へ傾けることにより中蓋５は自重により回動してインクパッド４を被覆し、インクと外気との接触を遮断し、以て、インク寿命を長く維持できるように構成されている。
【００３６】
尚、上記紐２２の材質等は、特に、限定せられるべきではなく、要はレバー１９の押下動作によって中蓋５を起立させ得るもののすべての素材を包含することは当然である。
【００３７】
斯くの如く、本発明はスタンプ台１を片手で把持して前方へ傾けることにより中蓋３を自重により回動させてインクパッド４を被覆させ、レバー１９を押下することにより、外蓋３のロック解除と中蓋５の起立動作を為し、斯くして、特に、梱包箱（発泡スチロール製）にスタンプする作業時において、インクの乾燥を可及的に阻止しながら該スタンプ動作が間欠的に連続して実行され、該作業は迅速、且つ、円滑に行われて作業性が良好となって、作業効率が向上する等、極めて著大なる効果を奏する発明である。
【００３８】
尚、本発明は、本発明の精神を逸脱しない限り種々の改変を為すことができ、そして、本発明が該改変されたものに及ぶことは当然である。
【図面の簡単な説明】
【００３９】
【図１】本発明の一実施例を示し、スタンプ台の斜視図。
【図２】図１のスタンプ台であって、外蓋を開放したときの斜視図。
【図３】図１のスタンプ台であって、中蓋を起立させた状態の斜視図。
【図４】図１のスタンプ台の平面図。
【図５】図４のＡ−Ａ線断面図。
【図６】図２に示すスタンプ台の平面図。
【図７】図６のＢ−Ｂ線断面図。
【図８】図３に示すスタンプ台の平面図。
【図９】図８のＣ−Ｃ線断面図。
【符号の説明】
【００４０】
１          インク台
２          スタンプ台本体
３          外蓋
４          インクパッド
４ａ        右端部枠体
５          中蓋
６          枢着部
７          軸受
８          筒体
９          枢軸
１０          先端部壁部
１１          凹部
１２          ロック片
１３          係合口
１４          嵌合片
１５          嵌挿孔
１６          突設片
１７          先端部分
１８          コ字状凹部
１８ａ，１８ｂ      壁部
１９          レバー
１９ａ        軸支片
２０          突片
２１          コイルスプリング
２２          紐又は糸
２３          小孔
２４          受板
２５          スリット
２６          ボルト
【図１】
0005018437.tif 000002
【図２】
0005018437.tif 000003
【図３】
0005018437.tif 000004
【図４】
0005018437.tif 000005
【図５】
0005018437.tif 000006
【図６】
0005018437.tif 000007
【図７】
0005018437.tif 000008
【図８】
0005018437.tif 000009
【図９】
0005018437.tif 000010